(57)【特許請求の範囲】
【請求項１】
上下の高さを有して左右に延在するフェース面と、前記フェース面の上部から後方に延在するクラウン面と、前記フェース面の下部と前記クラウン面の下部とを接続するソール面とを備えるゴルフクラブヘッドであって、
閉塞された空間を区画する壁で構成された中空部と、前記中空部を除いた前記ゴルフクラブヘッドの箇所を構成する無垢の板材とを含み、
前記中空部は、前記フェース面に沿って前記フェース面の左右方向全長にわたって延在する横部と、前記横部に接続し前記横部の左右方向の幅よりも小さい幅で前記横部の左右方向の中央から後方に延在する縦部とを含んで構成され、
前記無垢の板材は、前記縦部の左右両側で前記横部から後方に延在し、その後端は、前後方向において前記縦部の後端と同じ箇所に位置し、かつ、前記縦部の後端と左右方向において連続するように設けられ、
前記中空部が配置された箇所において、前記中空部を区画する前記壁が前方に面した箇所により前記フェース面が構成され、前記中空部を区画する前記壁が上方に面した箇所により前記クラウン面が構成され、前記中空部を区画する前記壁が下方に面した箇所により前記ソール面が構成され、
前記無垢の板材が配置された箇所において、前記無垢の板材の厚さ方向の一方の面により前記クラウン面が構成されると共に、前記無垢の板材の他方の面により前記ソール面が構成され、
前記ゴルフクラブヘッドを基準面に対して予め定められたライ角およびロフト角通りに設置した状態でロフト角が１１度以上２５度以下であり、かつ、前記ゴルフクラブヘッドの重心位置を前記フェース面に垂直に投影させた重心点の前記基準面からの高さが２１ｍｍ以下であり、
前記設置した状態で平面視したとき前記フェース面の中心点から前記ゴルフクラブヘッドの最も後方に位置する箇所までの前後方向の距離を前記基準面に投影した寸法をヘッド長さＡとし、
前記設置した状態で前記ゴルフクラブヘッドを前記フェース面の前方から見たとき前記基準面に対して２２．２３ｍｍ上方に位置するヒール側の箇所から最もトウ側に位置する端部までの距離を前記基準面に投影した寸法をヘッド幅Ｂとし、
前記設置した状態で平面視したとき前記フェース面の中心点を通り前後方向に延在する中心線上において前記中心点から前記中空部の最も後方に位置する箇所までの距離を前記基準面に投影した寸法を中空部厚さＣとした場合、
ヘッド長さＡは６０ｍｍ以上１１０ｍｍ以下、ヘッド幅Ｂは９５ｍｍ以上１２０ｍｍ以下、Ａ＜Ｂであり、
中空部厚さＣは１５ｍｍ以上ヘッド長さＡ以下であり、
前記設置した状態で、前記ゴルフクラブの全投影面積に占める前記無垢の板材の投影面積の割合が３０％以上５０％以下である、
ことを特徴とするゴルフクラブヘッド。
【請求項２】
前記縦部は、後方に至るにつれてその左右方向の幅および上下方向の高さが小さく形成されている、
ことを特徴とする請求項１記載のゴルフクラブヘッド。
【請求項３】
前記クラウン面は、前記横部の後方でかつ前記縦部の左右側方で延在し前記ソール面寄りに位置する下部クラウン面を有し、
前記無垢の板材の厚さ方向の一方の面により前記下部クラウン面が構成されると共に前記無垢の板材の他方の面により前記下部クラウン面に対応する前記ソール面の箇所が構成されている、
ことを特徴とする請求項１または２記載のゴルフクラブヘッド。
【請求項４】
前記縦部は、その後部が左右に分かれている、
ことを特徴とする請求項１乃至３に何れか１項記載のゴルフクラブヘッド。
【請求項５】
前記設置した状態で前記ゴルフクラブヘッドの全投影面積が１００ｃｍ２以下である、
ことを特徴とする請求項１乃至４に何れか１項記載のゴルフクラブヘッド。
【請求項６】
前記ゴルフクラブヘッドは、フェアウェイウッドクラブ用あるいはユーティリティクラブ用のゴルフクラブヘッドである、
ことを特徴とする請求項１乃至５に何れか１項記載のゴルフクラブヘッド。
【発明の詳細な説明】
【技術分野】
【０００１】
本発明はゴルフクラブヘッドに関する。
【背景技術】
【０００２】
ゴルフクラブにより打撃したゴルフボールの飛距離を向上するためには、打ち出し角度を大きくすること（高打角化）と、ゴルフボールの逆回転量（バックスピン）を低く抑えること（低スピン化）とが必要である。
高打角化と低スピン化を図るためには、ゴルフクラブヘッドの重心をより低い位置にすること（低重心化）が効果的である。
すなわち、ゴルフクラブヘッドの重心が低くなるほど、フェース部でゴルフボールを打撃した際に、ロフト角度が大きくなる方向にフェース部（ゴルフクラブヘッド）が変位しやすくなる。
このため、打撃したゴルフボールの打ち出し角度が高くなる。さらには、フェース部のロフト角度が大きくなる方向への変位によってギア効果が生じるため、ゴルフボールにはバックスピンと反対側の回転方向に回転（トップスピン）がかかり、スピン量が小さくなる。すなわち、低スピン化される。このようにして、高打出し、低スピンが実現され、飛距離を確保する上で有利となる。
【０００３】
このようなことから本出願人は、低重心化を図る上で有利なゴルフクラブヘッドを提案している（特許文献１参照）。
このゴルフクラブヘッドは、クラウン部に内側へ凸曲面をなす凹部が形成された中空構造を設け、凹部はソール部の底面に向けて深く窪んだ形状になっている。
そして、凹部の底部を形成する壁部と、凹部に対向するソール部の部分を形成する壁部とが近接した状態で対向しあるいは接合されている。
このようなゴルフクラブヘッドによれば、ゴルフクラブヘッドの重心位置が凹部の底面に近い位置まで低下するため低重心化を図る上で有利となり、飛距離を確保する上で有利となる。
【先行技術文献】
【特許文献】
【０００４】
【特許文献１】特開２０１０−３５９１５号公報
【発明の概要】
【発明が解決しようとする課題】
【０００５】
しかしながら、上記ゴルフクラブヘッドでは、凹部の底部を形成する壁部とソール部を形成する壁部との２つの壁部が対向しあるいは接合されていることから、ゴルフクラブヘッドでゴルフボールを打撃した際にそれら２つの壁部が振動して生じる音が互いに打ち消し合う傾向となる。
そのため、ゴルフクラブヘッドから生じる打球音（打撃音）をゴルファにとってより心地良いものとする上で、具体的には、打球音の音色をより高音とし、かつ、打球音の残響時間をより長くする上で改良の余地がある。
本発明は、このような事情に鑑みてなされたものであり、その目的は、低重心化を図りつつ打球音の改良を図る上で有利なゴルフクラブヘッドを提供することにある。
【課題を解決するための手段】
【０００６】
上記目的を達成するために、本発明は、上下の高さを有して左右に延在するフェース面と、前記フェース面の上部から後方に延在するクラウン面と、前記フェース面の下部と前記クラウン面の下部とを接続するソール面とを備えるゴルフクラブヘッドであって、閉塞された空間を区画する壁で構成された中空部と、前記中空部を除いた前記ゴルフクラブヘッドの箇所を構成する無垢の板材とを含み、前記中空部は、前記フェース面に沿って前記フェース面の左右方向全長にわたって延在する横部と、前記横部に接続し前記横部の左右方向の幅よりも小さい幅で前記横部の左右方向の中央から後方に延在する縦部とを含んで構成され、前記無垢の板材は、前記縦部の左右両側で前記横部から後方に延在し、その後端は、前後方向において前記縦部の後端と同じ箇所に位置し、かつ、前記縦部の後端と左右方向において連続するように設けられ、前記中空部が配置された箇所において、前記中空部を区画する前記壁が前方に面した箇所により前記フェース面が構成され、前記中空部を区画する前記壁が上方に面した箇所により前記クラウン面が構成され、前記中空部を区画する前記壁が下方に面した箇所により前記ソール面が構成され、前記無垢の板材が配置された箇所において、前記無垢の板材の厚さ方向の一方の面により前記クラウン面が構成されると共に、前記無垢の板材の他方の面により前記ソール面が構成され、前記ゴルフクラブヘッドを基準面に対して予め定められたライ角およびロフト角通りに設置した状態でロフト角が１１度以上２５度以下であり、かつ、前記ゴルフクラブヘッドの重心位置を前記フェース面に垂直に投影させた重心点の前記基準面からの高さが２１ｍｍ以下であり、前記設置した状態で平面視したとき前記フェース面の中心点から前記ゴルフクラブヘッドの最も後方に位置する箇所までの前後方向の距離を前記基準面に投影した寸法をヘッド長さＡとし、前記設置した状態で前記ゴルフクラブヘッドを前記フェース面の前方から見たとき前記基準面に対して２２．２３ｍｍ上方に位置するヒール側の箇所から最もトウ側に位置する端部までの距離を前記基準面に投影した寸法をヘッド幅Ｂとし、前記設置した状態で平面視したとき前記フェース面の中心点を通り前後方向に延在する中心線上において前記中心点から前記中空部の最も後方に位置する箇所までの距離を前記基準面に投影した寸法を中空部厚さＣとした場合、ヘッド長さＡは６０ｍｍ以上１１０ｍｍ以下、ヘッド幅Ｂは９５ｍｍ以上１２０ｍｍ以下、Ａ＜Ｂであり、中空部厚さＣは１５ｍｍ以上ヘッド長さＡ以下であり、前記設置した状態で、前記ゴルフクラブの全投影面積に占める前記無垢の板材の投影面積の割合が３０％以上５０％以下であることを特徴とする。
なお、ヘッド長さＡおよびヘッド幅Ｂの定義は、「２０１０年度財団法人日本ゴルフ協会のゴルフ規則」の「付属規則IIクラブのデザイン」の「４ｂ寸法、体積、慣性モーメント」の欄に記載されている。
【発明の効果】
【０００７】
本発明のゴルフクラブヘッドによれば、無垢の板材によりクラウン面の部分とソール面の部分とが構成されているため、ゴルフクラブヘッドの重心位置を無垢の板材に近い位置まで下げることができ、ゴルフクラブヘッドの低重心化を図る上で有利となる。
また、無垢の板材の厚さ方向の両面がゴルフクラブヘッドの上下に開放されているため、ゴルフボールを打撃した際に無垢の板材に発生する１次共振周波数の振動が他の部材に打ち消されることがないため、打球音の高さをゴルファにとって心地良いものとし、かつ、打球音の残響時間を長く確保する上で有利となる。
【図面の簡単な説明】
【０００８】
【図１】第１の実施の形態におけるゴルフクラブヘッド１０の斜視図である。
【図２】第１の実施の形態におけるゴルフクラブヘッド１０の平面図である。
【図３】第１の実施の形態におけるゴルフクラブヘッド１０の正面図である。
【図４】第１の実施の形態におけるゴルフクラブヘッド１０の下面図である。
【図５】図１のＷ−Ｗ線断面図である。
【図６】図１のＸ−Ｘ線断面図である。
【図７】変形例における図１のＸ−Ｘ線断面図である。
【図８】他の変形例における図１のＸ−Ｘ線断面図である。
【図９】図２のＹ−Ｙ線断面図である。
【図１０】図５のＺ−Ｚ線断面図である。
【図１１】第２の実施の形態におけるゴルフクラブヘッド１０の平面図である。
【図１２】第２の実施の形態におけるゴルフクラブヘッド１０の無垢の板材２０の基準面Ｇへの投影面積を示す図である。
【図１３】第２の実施の形態の変形例におけるゴルフクラブヘッド１０の平面図である。
【図１４】第３の実施の形態におけるゴルフクラブヘッド１０の平面図である。
【図１５】第３の実施の形態におけるゴルフクラブヘッド１０の無垢の板材２０の基準面Ｇへの投影面積を示す図である。
【図１６】第２の実施の形態の変形例におけるゴルフクラブヘッド１０の平面図である。
【図１７】第４の実施の形態におけるゴルフクラブヘッド１０の平面図である。
【図１８】第４の実施の形態におけるゴルフクラブヘッド１０の無垢の板材２０の基準面Ｇへの投影面積を示す図である。
【図１９】第５の実施の形態におけるゴルフクラブヘッド１０の平面図である。
【図２０】第５の実施の形態におけるゴルフクラブヘッド１０の平面図である。
【図２１】周波数分析結果を示す線図である。
【図２２】図１９における周波数ピーク部分の拡大図である。
【図２３】真の１次共振周波数を特定するための計算式を示す図である。
【図２４】実験結果を示す図である。
【発明を実施するための形態】
【０００９】
（第１の実施の形態）
次に本発明の実施の形態について図面を参照して説明する。
図１〜図４に示すように、ゴルフクラブヘッド１０は、本例ではフェアウェイウッドクラブ用であり、上下の高さを有して左右に延在するフェース面１２と、フェース面１２の上部から後方に延在しゴルフクラブヘッド１０の上面を構成するクラウン面１４と、フェース面１２の下部とクラウン面１４の下部とを接続しゴルフクラブヘッド１０の下面を構成するソール面１６とを備えている。
クラウン面１４の左右方向の一端寄りの箇所にはホーゼル１８が起立され、ホーゼル１８に不図示のシャフトの一端が挿入して取着されることでのシャフトがゴルフクラブヘッド１０に連結される。
【００１０】
図１、図２、図５、図６、図９、図１０に示すように、ゴルフクラブヘッド１０は、中空部２５と、中空部２５を除いたゴルフクラブヘッド１０の箇所を構成する無垢の板材２０とを含んで構成されている。
中空部２５は閉塞された空間を区画する壁で構成され、フェース面１２に沿ってフェース面１２の左右方向全長にわたって延在する横部２２と、横部２２の左右両側に接続され横部２２の左右両側から横部２２の左右方向の幅よりも小さい幅でそれぞれ後方に延在する縦部２４とを備えている。
無垢の板材２０は、横部２２の後方で両側の縦部２４の間に配置され、無垢の板材２０が配置された箇所において無垢の板材２０の厚さ方向の一方の面によりクラウン面１４が構成されると共に無垢の板材２０の他方の面によりソール面１６が構成されている。
無垢の板材２０とは、複数枚の板材が接合されたものではなく、単一の一枚の板材で構成されているものをいう。
なお、図２において上方から見た場合の横部２２、縦部２４の輪郭を破線で示している。
また、図５に示すように、横部２２の下側を仕切るソール面１６に上方に突出する膨出部２６を設け、ゴルフクラブヘッド１０の低重心化を図っている。
また、本実施の形態では、縦部２４の輪郭は図６に示すような形状であるが、図７、図８に示すように、縦部２４の輪郭の一部がゴルフクラブヘッド１０の幅方向の中心に向かって膨出した形状であってもよい。
【００１１】
図１に示すように、クラウン面１４は、前部クラウン面１４０２と、対向クラウン面１４０４と、下部クラウン面１４０６と、縦部形成用壁面１４０８とを有している。
前部クラウン面１４０２は、フェース面１２の上部から後方に延在し横部２２の上側を仕切っている。
図１、図６に示すように、縦部形成用壁面１４０８は、縦部２４の上方を仕切る上壁面１４０８Ａと、縦部２４の内側側方を仕切る内壁面１４０８Ｂとを有している。なお、縦部２４の外側側方と下側はソール面１６で仕切られている。
【００１２】
図１に示すように、対向クラウン面１４０４は、前部クラウン面１４０２の後部に接続され両側の縦部２４の間で横部２２の後側を仕切っている。
なお、横部２２の左右両側と下側はソール面１６により仕切られている。
図１、図５に示すように、対向クラウン面１４０４は、両側の内壁面１４０８Ｂの間で前部クラウン面１４０２の後部からソール面１６側に向かって延在する上部対向クラウン面１４０４Ａと、上部対向クラウン面１４０４Ａの下部から後方に偏位しつつソール面１６側に向かって延在する下部対向クラウン面１４０４Ｂとを含んで構成されている。
下部対向クラウン面１４０４Ｂは、後方に凸状の湾曲面で形成されている。
【００１３】
下部クラウン面１４０６は、前部クラウン面１４０２と、対向クラウン面１４０４と、両側の縦部２４を形成する上壁面１４０８Ａおよび内壁面１４０８Ｂとを除いたクラウン面１４の残りの箇所を構成している。
言い換えると、クラウン面１４から横部２２を形成する壁面および両側の縦部２４を形成する壁面を除いた残りの箇所が下部クラウン面１４０６となっている。
すなわち、下部クラウン面１４０６は、横部２２の後方かつ両側の縦部２４の間でソール面１６寄りに位置して前後左右方向に延在している。
無垢の板材２０は、その厚さ方向の一方の面により下部クラウン面１４０６を構成しており、その他方の面により下部クラウン面１４０６に対応するソール面１６の箇所を構成している。
すなわち、下部クラウン面１４０６が位置する箇所が無垢の板材２０となっている。
【００１４】
そして、図２、図３に示すように、ゴルフクラブヘッド１０を基準面Ｇ（水平面）に対して予め定められたライ角およびロフト角通りに設置した状態で平面視したときフェース面１２の中心点Ｐｃからゴルフクラブヘッド１０の最も後方に位置する箇所Ｐｅまでの前後方向の距離を基準面Ｇに投影した寸法をヘッド長さＡとする。
なお、フェース面１２の中心点Ｐｃは、フェース面１２の幾何学的中心であり、中心点Ｐｃの規定方法としては従来公知のさまざまな方法が採用可能である。
前記の設置した状態でゴルフクラブヘッド１０をフェース面１２の前方から見たとき基準面Ｇに対して予め定められた距離Ｈ（Ｈ＝２２．２３ｍｍ、０．８７５インチ）上方に位置するヒール側の箇所Ｐｈから最もトウ側に位置する端部Ｐｔまでの距離を基準面Ｇに投影した寸法をヘッド幅Ｂとする。
前記設置した状態で平面視したときフェース面１２の中心点Ｐｃから中空部２５が最も後方に位置する箇所Ｐｆまでの前後方向の距離を基準面Ｇに投影した寸法を中空部厚さＣとする。
前記設置した状態で平面視したときフェース面１２の中心点Ｐｃを通り前後方向に延在する中心線上において中心点Ｐｃから中空部２５の最も後方に位置する箇所までの距離を基準面Ｇに投影した寸法を中空部厚さＣとする。
【００１５】
本実施の形態では、ヘッド長さＡを６０ｍｍ以上１１０ｍｍ以下とし、ヘッド幅Ｂを９５ｍｍ以上１２０ｍｍ以下とし、Ａ＜Ｂであり、中空部厚さＣを１５ｍｍ以上ヘッド長さＡ未満とし、前記設置した状態で、ゴルフクラブヘッド１０の全投影面積に占める無垢の板材２０の投影面積の割合を３０％以上５０％以下とした。
ヘッド長さＡが６０ｍｍ以上１１０ｍｍ以下の範囲を満たすと、打球音（高さと残響：高音で残響が長い）と重心高さ（低重心化）の点で有利となり、前記の範囲を下回ると、打球音（残響が短い）の点で不利があり、前記の範囲を上回ると、打球音（高さが低い）と重心高さ（高くなる）の点で不利がある。
ヘッド幅Ｂの範囲を規定する理由は、A寸法を規定した理由と同じである。
Ａ＜Ｂが成立すると、ゴルファーが見た時のイメージ（伝統的な形で違和感が無い）の点で有利となり、不成立であると違和感がある点で不利がある。
中空部厚さＣが上記の範囲を満たすと、打球音（高さと残響：高音で残響が長い）の点で有利となり、前記の範囲を下回ると、打球音（残響が短い）の点で不利があり、前記の範囲を上回ると、打球音（高さが低い）の点で不利がある。
ゴルフクラブヘッド１０の全投影面積に占める無垢の板材２０の投影面積の割合が上記の範囲を満たすと、打球音（高さと残響：高音で残響が長い）と重心高さ（低重心化）の点で有利となり、前記の範囲を下回ると、打球音（残響が短い）の点で不利があり、前記の範囲を上回ると、打球音（高さが低い）と重心高さ（高くなる）の点で不利がある。
【００１６】
また、前記設置した状態でロフト角が１１度以上２５度以下であり、かつ、ゴルフクラブヘッド１０の重心位置をフェース面１２に垂直に投影させた重心点の基準面Ｇからの高さが２１ｍｍ以下であることが、ゴルフクラブヘッド１０の低重心化を図る上でより有利となる。
また、前記設置した状態でゴルフクラブ１０の全投影面積が１００ｃｍ２以下であることが、打球音（高さと残響：高音で残響が長い）と重心高さ（低重心化）の上でより有利となる。
【００１７】
次にゴルフクラブヘッド１０の作用効果について説明する。
ゴルフクラブヘッド１０は、無垢の板材２０を用いて構成され、無垢の板材２０によりクラウン面１４の部分とソール面１６の部分とが構成されている。
そのため、ゴルフクラブヘッド１０の重心位置を無垢の板材２０に近い位置まで下げることができるため、ゴルフクラブヘッド１０の低重心化を図る上で有利となり、したがって、飛距離を確保する上で有利となる。
また、無垢の板材２０の厚さ方向の両面がゴルフクラブヘッド１０の上下に開放されているため、ゴルフボールを打撃した際に無垢の板材２０に発生する１次共振周波数の振動が他の部材に打ち消されることがない。そのため、打球音の高さをゴルファにとって心地良いものとし（言い換えると４０００Ｈｚ以上の１次共振周波数の成分が多く含まれる音とし）、かつ、打球音の残響時間を長く確保する上で有利となる。
特に、従来技術で挙げたゴルフクラブヘッドでは、凹部の底部を形成する壁部とソール部を形成する壁部との２つの壁部が対向しあるいは接合されていることから、２つの壁部が振動して生じる音が互いに打ち消し合う傾向となる不利があったが、本実施の形態では、そのような不利が解消され、ゴルファにとって心地良い打球音を発生させる上で有利となる。
【００１８】
また、本実施の形態では、横部２２に接続し横部２２の左右方向の幅よりも小さい幅で横部２２から後方に延在する縦部２４が設けられている。
したがって、打球音が反響する空間の体積を大きく確保できるため、打球音の残響時間を長くする上で有利となる。
また、縦部２４を形成する縦部形成用壁面１４０８によってゴルフクラブヘッド１０の剛性が高められることから、打球音の周波数を高くする上でより有利となる。
【００１９】
また、本実施の形態では、対向クラウン面１４０４は、両側の内壁面１４０８Ｂの間で前部クラウン面１４０２の後部からソール面１６側に向かって延在する上部対向クラウン面１４０４Ａと、上部対向クラウン面１４０４Ａの下部から後方に偏位しつつソール面１６側に向かって延在する下部対向クラウン面１４０４Ｂとを含んで構成されている。
したがって、対向クラウン面１４０４の面積を大きくすることで打撃時の加振によって振動する部分の面積を大きくでき、打球音の大きさを確保する上で有利となる。
さらに、下部対向クラウン面１４０４Ｂは、後方に凸状の湾曲面で形成されているため、下部対向クラウン面１４０４Ｂの部分の面積を大きくすることで打撃時の加振によって振動する部分の面積をより大きくでき、打球音の大きさを確保する上でより有利となる。
【００２０】
（第２の実施の形態）
次に第２の実施の形態について図１１、図１２を参照して説明する。
なお、以下の実施の形態においては、第１の実施の形態と同一の部分、部材には同一の符号を付してその説明を省略するかあるいは簡単に行う。
第２の実施の形態は、図１１に示すように、中空部２５と、中空部２５を除いたゴルフクラブヘッド１０の箇所を構成する無垢の板材２０とを含んで構成されている。中空部２５は、横部２２とこの横部２２の左右方向の中央から後方に延在する１つの縦部２４とにより構成されている。縦部２４は、横部２２の左右方向の幅よりも小さい幅で横部２２に接続され、後方に至るにつれてその幅および高さが小さく形成されている。
縦部２４の上側と左右側方は、縦部形成用壁面１４０８で形成され、縦部形成用壁面１４０８は、縦部２４の上方を仕切る上壁面１４０８Ａと、縦部２４の左右側方を仕切る２つの内壁面１４０８Ｂとを有している。なお、縦部２４の下側はソール面１６で仕切られている。
言い換えると、中空部２５が配置された箇所において、中空部２５を区画する壁が前方に面した箇所によりフェース面１２が構成され、中空部２５を区画する壁が上方に面した箇所によりクラウン面１４が構成され、中空部２５を区画する壁が下方に面した箇所によりソール面１６が構成されている。
【００２１】
無垢の板材２０は、横部２２の後方かつ縦部２４の左右両側で前後に延在している。
より詳細には、図１１に示すように、無垢の板材２０は、縦部２４の左右両側で横部２２から後方に延在し、その後端は、前後方向において縦部２４の後端と同じ箇所に位置し、かつ、縦部２４の後端と左右方向において連続するように設けられている。
したがって、無垢の板材２０が２枚用いられ、それら無垢の板材２０が配置された箇所において無垢の板材２０の厚さ方向の一方の面によりクラウン面１４が構成されると共に無垢の板材２０の他方の面によりソール面１６が構成されている。
第２の実施の形態においても、ヘッド長さＡ、ヘッド幅Ｂ、中空部厚さＣ、関係式Ａ＜Ｂ、無垢の板材２０の投影面積の割合については第１の実施の形態と同様に規定される。
また、第２の実施の形態では、ヘッド長さＡと中空部厚さＣとが等しい。
なお、図１１において上方から見た場合の横部２２、縦部２４の輪郭を破線で示し、図１２において無垢の板材２０を基準面Ｇに投影した部分をハッチングで示す。以下の図１３〜図１６においても、破線とハッチングを同様に施している。
このような第２の実施の形態においても第１の実施の形態と同様の効果が奏される。
【００２２】
（第２の実施の形態の変形例）
次に第２の実施の形態の変形例について図１３を参照して説明する。
図１１、図１２に示す第２の実施の形態では、横部２２の上部後側が対向クラウン面１４０４で仕切られていたが、この変形例では、縦部２４がその高さを減少しつつ後方に延在しているため、対向クラウン面１４０４は設けられていない。
すなわち、縦部形成用壁面１４０８は、縦部２４の上方を仕切る上壁面１４０８Ａと、縦部２４の左右側方を仕切る２つの内壁面１４０８Ｂを有し、上壁面１４０８Ａは、その前端が前部クラウン面１４０２の後部に接続され、後方に至るにつれてその高さが次第に減少している。
このような変形例によっても図１１、図１２に示す第２の実施の形態と同様な効果が奏される。
【００２３】
（第３の実施の形態）
次に第３の実施の形態について図１４、図１５を参照して説明する。
第３の実施の形態は、図１４に示すように、中空部２５と、中空部２５を除いたゴルフクラブヘッド１０の箇所を構成する無垢の板材２０とを含んで構成されている。中空部２５は、横部２２とこの横部２２の左右方向の中央から後方に延在する１つの縦部２４とにより構成されている。縦部２４は、その後部が左右に分かれており、縦部２４は後方に至るにつれてその高さが小さく形成されている。
縦部２４の上側と左右側方は、縦部形成用壁面１４０８で形成され、縦部形成用壁面１４０８は、縦部２４の上方を仕切る上壁面１４０８Ａと、縦部２４の左右側方を仕切る３つの内壁面１４０８Ｂとを有している。なお、縦部２４の下側はソール面１６で仕切られている。
無垢の板材２０は、横部２２の後方かつ縦部２４の前部の左右両側で前後に延在しており、また、縦部２４の後部の間で前後に延在している。
したがって、無垢の板材２０が３枚用いられ、それら無垢の板材２０が配置された箇所において無垢の板材２０の厚さ方向の一方の面によりクラウン面１４が構成されると共に無垢の板材２０の他方の面によりソール面１６が構成されている。
第３の実施の形態においても、ヘッド長さＡ、ヘッド幅Ｂ、中空部厚さＣ、関係式Ａ＜Ｂ、無垢の板材２０の投影面積の割合については第１の実施の形態と同様に規定される。
このような第３の実施の形態においても第１の実施の形態と同様の効果が奏される。
【００２４】
（第３の実施の形態の変形例）
次に第３の実施の形態の変形例について図１６を参照して説明する。
図１４、図１５に示す第３の実施の形態では、横部２２の上部後側が対向クラウン面１４０４で仕切られていたが、この変形例では、縦部２４がその高さを減少しつつ後方に延在しているため、対向クラウン面１４０４は設けられていない。
すなわち、上壁面１４０８Ａは、その前端が前部クラウン面１４０２の後部に接続され、後方に至るにつれてその高さが次第に減少している。
このような変形例によっても図１４、図１５に示す第３の実施の形態と同様な効果が奏される。
【００２５】
（第４の実施の形態）
次に第４の実施の形態について図１７、図１８を参照して説明する。
第４の実施の形態は、図１７に示すように、縦部２４を用いておらず、無垢の板材２０が第１の中空部２２の後方のクラウン面１４全域を構成しており、無垢の板材２０が配置された箇所において無垢の板材２０の厚さ方向の一方の面によりクラウン面１４が構成されると共に無垢の板材２０の他方の面によりソール面１６が構成されている。
第４の実施の形態においても、ヘッド長さＡ、ヘッド幅Ｂ、中空部厚さＣ、関係式Ａ＜Ｂ、無垢の板材２０の投影面積の割合については第１の実施の形態と同様に規定される。
このような第４の実施の形態においても第１の実施の形態と同様の効果が奏される。
【００２６】
（第５の実施の形態）
次に第５の実施の形態について図１９、図２０を参照して説明する。
第５の実施の形態は、図１９、図２０に示すように、本発明をフェアウェイウッドクラブとアイアンとの中間のユーティリティクラブ用のゴルフヘッドクラブに適用したものである。
第５の実施の形態においても第１の実施の形態と同様に、ゴルフクラブヘッド１０は、中空部２５と、中空部２５を除いたゴルフクラブヘッド１０の箇所を構成する無垢の板材２０とを含んで構成されている。中空部２５は、フェース面１２に沿ってフェース面１２の左右方向全長にわたって延在する横部２２と、横部２２の左右両側に接続され横部２２の左右両側から横部２２の左右方向の幅よりも小さい幅でそれぞれ後方に延在する縦部２４とを備えている。
そして、クラウン面１４から横部２２を形成する壁面および両側の縦部２４を形成する壁面を除いた残りの箇所が下部クラウン面１４０６となっている。すなわち、横部２２の後方箇所である下部クラウン面１４０６が無垢の板材２０の厚さ方向の一方の面で構成され、他方の面でソール面１６が構成されている。
第５の実施の形態においても、ヘッド長さＡ、ヘッド幅Ｂ、中空部厚さＣ、関係式Ａ＜Ｂ、無垢の板材２０の投影面積の割合については第１の実施の形態と同様に規定される。
このような第５の実施の形態においても第１の実施の形態と同様の効果が奏される。
【００２７】
以下、本発明の実験例について説明するが、まず、ゴルフクラブヘッド１０から発生する打球音の評価方法について説明しておく。
ゴルフクラブヘッド１０から発生する打球音は、ゴルフクラブヘッド１０のフェース面１２がゴルフボールを打撃した際に生じる衝撃によってゴルフクラブヘッド１０のフェース面１２、クラウン面１４、ソール面１６のそれぞれが振動することによって発生する音によって構成されている。
【００２８】
打球音の周波数の計測は例えば以下のような方法で行われる。
予めゴルフクラブヘッド１０のホーゼル１８を宙吊りあるいは軽く支持しておく。
フェース面１２、クラウン面１４、ソール面１６のそれぞれをハンマで加振（打撃）して振動させ、加振により発生する打撃音を騒音計で測定する。
なお、ハンマで加振するフェース面１２、クラウン面１４、ソール面１６の箇所は、それぞれの幾何学中心とすればよい。また、デザイン性を与えるためにソール面１６が複数の領域に区分されているような場合には、最も面積の大きな領域の幾何学中心をハンマで加振すればよい。
騒音計で測定された打撃音をＡ／Ｄコンバータを介してパソコンに取り込み、公知の手法、例えばＦＦＴ（Fast Fourier Transformation)等を用いて周波数分析を行い、音圧（振動）が最も大きな周波数を１次共振周波数として特定する。
このようにしてフェース面１２、クラウン面１４、ソール面１６のそれぞれの１次共振周波数を測定する。
【００２９】
なお、打撃音を騒音計で測定することに代えて、以下の方法を用いても良い。
１）フェース面１２、クラウン面１４、ソール面１６のそれぞれに加速度ピックアップを取り付けておく。加振により発生する振動の加速度信号を加速度ピックアップで測定し、加速度信号の周波数分析を行うことで１次共振周波数を測定する。
２）フェース面１２、クラウン面１４、ソール面１６のそれぞれの振動を、レーザ振動計（レーザドップラ振動計）で測定する。加振により発生する振動の加速度信号をレーザ振動計で測定し、加速度信号の周波数分析を行うことで１次共振周波数を測定する。
【００３０】
ところで、加速度信号を測定する場合、図２１に示すように、周波数分析の結果、加速度Ｌが同程度の第１、第２の周波数ｆ１、ｆ２によって２つのピークが得られた場合、第１、第２の周波数ｆ１、ｆ２の中間の周波数を真の１次共振周波数として特定することが１次共振周波数をより正確に評価する上で好ましい。
そこで、本実施の形態では、以下に示す手順によって、第１、第２の周波数ｆ１、ｆ２の加重平均を算出することにより真の１次共振周波数ｆ０を求める。
【００３１】
図２２は、図２１におけるピーク部分の拡大図である。
図２２に示すように、例えば、データＤｎをピーク値として、その前後の複数のデータＤｎ−１、Ｄｎ−２、Ｄｎ＋１、Ｄｎ＋２は、データＤｎから離れるにしたがって低下する。
しかしながら、各データは離散的に計測されていることから、図２２に示す例では、真のピーク値は図中記号●で示すように、データＤｎよりもさらに高い値であることが予測される。
したがって、図２３の式（１）により第１の周波数ｆ１の真のピーク値Ｌ１を求め、式（２）により第２の周波数ｆ２の真のピーク値Ｌ２を求める。式（１）、式（２）において、Ｌｉは複数のデータを示している。なお、データＤｎ−１、Ｄｎ−２、Ｄｎ＋１、Ｄｎ＋２と５個のデータを用いる場合を例示したが、データの個数は任意である。
【００３２】
真のピーク値Ｌ１，Ｌ２が求められたならば、図２３の式（３）、式（４）により、ｄＢ値で示されている加速度のピーク値Ｌ１，Ｌ２をそれぞれ加速度のリニア値Ａｃｃ１，Ａｃｃ２に変換する。
次に、図２３の式（５）〜（８）により、加速度のリニア値Ａｃｃ１，Ａｃｃ２を変位Ｄｉｓｐ１，Ｄｉｓｐ２に変換する。
変位Ｄｉｓｐ１，Ｄｉｓｐ２が求められたならば、図２３の式（９）により変位Ｄｉｓｐ１，Ｄｉｓｐ２を用いて第１、第２の周波数ｆ１、ｆ２の加重平均を求め、この加重平均の値を真の１次共振周波数ｆ０として得る。
【００３３】
人間の聴覚の特性上、１次共振周波数が４０００Ｈｚ以上である打球音はゴルファにとって心地良いものと評価され、１次共振周波数が３０００Ｈｚ以下の打球音はゴルファにとって心地良いと評価され難い。
また、フェース面１２、クラウン面１４、ソール面１６の３箇所の１次共振周波数の全てが４０００Ｈｚ以上となると、打球音はゴルファにとって心地良いものと評価されるが、３箇所のうち１箇所でも１次共振周波数が２０００Ｈｚあるいは３０００Ｈｚ以下であると、打球音はゴルファにとって心地良いと評価され難い。特に、面積が広い部分で１次共振周波数が２０００Ｈｚあるいは３０００Ｈｚ以下であると、音圧も大きくなり、ゴルファーは、心地悪く感じる。これは、低い１次共振周波数の打球音の影響が支配的となるためであると考えられる。したがって、３箇所全ての１次共振周波数が４０００Ｈｚ以上であることが心地良い打球音を得る上で好ましい。
また、打球音の残響時間は、長い方がゴルファにとって心地良いものと評価され、短くなるほどゴルファにとって心地良いと評価され難い。
【００３４】
図２４は本発明に係るゴルフクラブヘッド１０の実験結果を示す図である。
なお、実験条件は次のとおりである。
試料となるゴルフクラブヘッドについて、フェース面１２の中央部、クラウン面１４の中央部、ソール面１６の中央部のそれぞれをハンマで加振して振動させ、加振により発生する打撃音を騒音計で測定し、それぞれの場所における１次共振周波数を前述のような方法によって特定した。
【００３５】
また、評価項目は以下のとおりである。
１）実際にゴルフボールをゴルフクラブヘッド１０で打撃した場合の球音の高低を指数で評価した。実験例１の指数を１００とし指数が大きいほど評価が良いことを示す。
２）実際にゴルフボールをゴルフクラブヘッド１０で打撃した場合の打球音の残響時間を指数で評価した。実験例１の指数を１００とし指数が大きいほど評価が良いことを示す。
３）実際にゴルフボールをゴルフクラブヘッド１０で打撃した場合の飛距離を指数で評価した。実験例１の指数を１００とし指数が大きいほど飛距離が長いことを示す。
４）前記設置した状態でのゴルフクラブヘッドの重心位置をフェース面１２に垂直に投影させた重心点の基準面Ｇからの高さを測定した。
【００３６】
実験例３は、第１の実施の形態に対応しており、ヘッド長さＡ、ヘッド幅Ｂ、中空部厚さＣ、関係式Ａ＜Ｂ、無垢の板材２０の投影面積の割合の全てが規定を満たしている。
実験例７は、第２の実施の形態に対応しており、ヘッド長さＡ、ヘッド幅Ｂ、中空部厚さＣ、関係式Ａ＜Ｂ、無垢の板材２０の投影面積の割合の全てが規定を満たしている。
実験例８は、第３の実施の形態に対応しており、ヘッド長さＡ、ヘッド幅Ｂ、中空部厚さＣ、関係式Ａ＜Ｂ、無垢の板材２０の投影面積の割合の全てが規定を満たしている。
【００３７】
実験例１は、ゴルフクラブヘッドがフェース面に沿って延在する前部中空部と、前部中空部の後部に接続され後部にいたるほど下方に変位する後部中空部とを備えるものである。
そして、後部中空部の上部のクラウン面を形成する上側壁部と後部中空部の下部のソール面を形成する下側壁部との間を接続する複数のリブが形成されているものである。
【００３８】
実験例２は、前記の従来技術に対応するゴルフクラブヘッドであり、クラウン部に形成された凹部の底部を形成する壁部と、凹部に対向するソール部の部分を形成する壁部とが近接した状態で対向しあるいは接合されている。
【００３９】
実験例４、５、６、９は、第１の実施の形態と同様に、中空部２５が、フェース面１２に沿ってフェース面１２の左右方向全長にわたって延在する横部２２と、横部２２の左右両側に接続され横部２２の左右両側から横部２２の左右方向の幅よりも小さい幅でそれぞれ後方に延在する縦部２４とを備えている。
実験例４は、中空部厚さＣ、関係式Ａ＜Ｂが規定を満たしているが、ヘッド長さＡ、ヘッド幅Ｂ、無垢の板材２０の投影面積の割合が規定を満たしていない。
具体的には、ヘッド長さＡおよびヘッド幅Ｂが規定の範囲を上回っており、無垢の板材２０の投影面積の割合が規定の範囲を上回っている。
【００４０】
実験例５は、中空部厚さＣ、関係式Ａ＜Ｂが規定を満たしているが、ヘッド長さＡおよびヘッド幅Ｂ、無垢の板材２０の投影面積の割合が規定を満たしていない。
具体的には、ヘッド長さＡおよびヘッド幅Ｂが規定の範囲を下回っており、無垢の板材２０の投影面積の割合が規定の範囲を下回っている。
【００４１】
実験例６は、ヘッド長さＡ、ヘッド幅Ｂ、関係式Ａ＜Ｂが規定を満たしているが、中空部厚さＣ、無垢の板材２０の投影面積の割合が規定を満たしていない。
具体的には、中空部厚さＣが規定の範囲を下回っており、無垢の板材２０の投影面積の割合が規定の範囲を上回っている。
【００４２】
実験例９は、中空部厚さＣ、関係式Ａ＜Ｂを満たしているが、ヘッド長さＡおよびヘッド幅Ｂ、無垢の板材２０の投影面積の割合が規定を満たしていない。
具体的には、ヘッド長さＡおよびヘッド幅Ｂが規定の範囲を上回っており、無垢の板材２０の投影面積の割合が規定の範囲を上回っている。また、ゴルフクラブヘッド１０の全投影面積が１００ｃｍ２を上回っている。
【００４３】
図２４からわかるように、実験例３、７、８と、実験例１、２、４、５、６、９と比較すると、ヘッド長さＡ、ヘッド幅Ｂ、中空部厚さＣ、関係式Ａ＜Ｂ、無垢の板材２０の投影面積の割合の全てが規定を満たしていると、打球音の高さ、打球音の残響時間の長さ、飛距離の点で有利となっていることがわかる。
具体的には、以下の点で有利となっている。
１）各１次共振周波数が４５００Ｈｚ〜６３００Ｈｚであり４０００Ｈｚを上回っている。
２）打球音の高さの評価が実験例１、２、４、５、６、９の評価以上である。
３）打球音の残響時間が実験例１、２、４、５、６、９の評価を上回っている。
４）フェース面１２上における重心点の基準面Ｇからの高さが２０ｍｍ〜２０．２ｍｍとなり、低重心化が図られている。
５）飛距離が実験例１、２、４、５、６、９よりも長い。
【００４４】
実験例１は、実験例３と同程度の打球音の高さであるが、実験例３、７、８に比較して残響時間が短く、飛距離も短いものとなっている。
残響時間が短い理由は、ゴルフクラブヘッドの形状によるものであり、飛距離が短い理由は、重心点の高さが２３．５ｍｍと高いためである。
【００４５】
実験例２は、実験例３、７、８に比較して飛距離はそれほど悪くないが、打球音の高さ、残響時間が実験例３、７、８に比較して短いものとなっている。
打球音の高さ、残響時間が実験例３、７、８に比較して短い理由は、２枚の壁部が対向あるいは接合しているため、振動が打ち消されることによる。
【００４６】
実験例４は、実験例３、７、８に比較して打球音の高さが低く、飛距離も短いものとなっている。
打球音が低い理由は、無垢の板材２０の面積が大きすぎることによって、１次共振周波数が２８００Ｈｚ，３０００Ｈｚと低いためである。
飛距離が短い理由は、ゴルフクラブヘッド１０の全投影面積が大きいため、重心深度が深くなりフェース面１２上の重心点の位置が２２．５ｍｍと高くなるためである。
【００４７】
実験例５は、実験例３、７、８に比較して打球音は高いものの、残響時間が短く、飛距離も短いものとなっている。
残響時間が短い理由は、無垢の板材２０の面積が小さすぎることにより、振動が短時間で収束してしまうためである。
飛距離が短い理由は、ゴルフクラブヘッド１０の全投影面積が小さいため、重心深度が浅くなりすぎるためである。
【００４８】
実験例６は、実験例３、７、８に比較して、残響時間はそれほど短くないが、打球音が低く、飛距離も短いものとなっている。
打球音が低いが残響時間が長い理由は、無垢の板材２０の面積が大きすぎることにより、低い音での振動が続くためである。
飛距離が短い理由は、無垢の板材２０の面積が大きすぎることにより、剛性が低下するためである。
【００４９】
実験例９は、実験例３、７、８に比較して、残響時間はそれほど短くないが、打球音が低く、飛距離も短いものとなっている。
打球音が低いが残響時間が長い理由は、ゴルフクラブヘッド１０の全投影面積と無垢の板材２０の面積との双方が大きすぎることにより、低い音での振動が続くためである。
飛距離が短い理由は、ゴルフクラブヘッド１０の全投影面積が大きすぎることにより、重心深度が深くなりフェース面１２上の重心点の位置が２３ｍｍと高くなるためである。
【符号の説明】
【００５０】
１０……ゴルフクラブヘッド、１２……フェース面、１４……クラウン面、１４０２……前部クラウン面と、１４０４……対向クラウン面、１４０４Ａ……上部対向クラウン面、１４０４Ｂ……下部対向クラウン面、１４０６……下部クラウン面、１６……ソール面、２０……無垢の板材、２２……第１中空部、２４……第２中空部、２５……中空部、Ａ……ヘッド長さ、Ｂ……ヘッド幅、Ｃ……中空部厚さ。
【要約】
【課題】低重心化を図りつつ打球音の改良を図る上で有利なゴルフクラブヘッドを提供する。
【解決手段】ゴルフクラブヘッド１０は、中空部２５と、中空部２５を除いたゴルフクラブヘッド１０の箇所を構成する無垢の板材２０とを含んで構成されている。中空部２５は、フェース面１２に沿ってフェース面１２の左右方向全長にわたって延在する横部２２と、横部２２の左右両側に接続され横部２２の左右両側から横部２２の左右方向の幅よりも小さい幅でそれぞれ後方に延在する縦部２４とを備えている。無垢の板材２０は、横部２２の後方で両側の縦部２４の間に配置され、無垢の板材２０が配置された箇所において無垢の板材２０の厚さ方向の一方の面によりクラウン面１４が構成されると共に無垢の板材２０の他方の面によりソール面１６が構成されている。
【選択図】図５【図１】
0004683353.tif 000002
【図２】
0004683353.tif 000003
【図３】
0004683353.tif 000004
【図４】
0004683353.tif 000005
【図５】
0004683353.tif 000006
【図６】
0004683353.tif 000007
【図７】
0004683353.tif 000008
【図８】
0004683353.tif 000009
【図９】
0004683353.tif 000010
【図１０】
0004683353.tif 000011
【図１１】
0004683353.tif 000012
【図１２】
0004683353.tif 000013
【図１３】
0004683353.tif 000014
【図１４】
0004683353.tif 000015
【図１５】
0004683353.tif 000016
【図１６】
0004683353.tif 000017
【図１７】
0004683353.tif 000018
【図１８】
0004683353.tif 000019
【図１９】
0004683353.tif 000020
【図２０】
0004683353.tif 000021
【図２１】
0004683353.tif 000022
【図２２】
0004683353.tif 000023
【図２３】
0004683353.tif 000024
【図２４】
0004683353.tif 000025